(57)【特許請求の範囲】
【請求項１】
入力された商品の商品名、価格、個数に基づいて、合計金額を算出し、商品名、価格、合計金額を出力するレジスタ装置と、客が観察可能であり、広告、商品名、価格、合計金額を表示し、かつ、レシートの必要性を選択するためのレシート用ボタン、必要な袋の枚数をデフォルト１枚とし、枚数を増加させる増加ボタン、枚数を減少させる減少ボタンを表示し、前記レシート用ボタン、前記増加ボタン、前記減少ボタンを接触により選択可能な画面を表示し、客により選択された選択情報を出力する客側ディスプレイと、店員が観測可能であり、商品名、価格、合計金額、袋の枚数を表示する店員側ディスプレイと、前記レジスタ装置から商品名、価格、合計金額を入力し、前記客側ディスプレイ、および、前記店員側ディスプレイに表示させ、前記客側ディスプレイからの選択情報がレシートの印刷不要を示していれば、レシートの印刷を指示せず、選択情報が入力されないか、または、選択情報がレシートの印刷必要を示していれば、商品名、価格、合計金額を含むレシートの印刷を指示し、前記客側ディスプレイからの選択情報に含まれる必要な袋の枚数を前記店員側ディスプレイに表示させるレジスタ補助装置と、前記レジスタ補助装置からの指示にしたがい、レシートを印刷するレシート印刷装置とを有することを特徴とするレジスタシステム。
【請求項２】
レジスタ装置が、入力された商品の商品名、価格、個数に基づいて、合計金額を算出し、商品名、価格、合計金額を出力する手順と、
客側ディスプレイが、客に観察可能なように、広告、商品名、価格、合計金額を表示し、かつ、レシートの必要性を選択するためのレシート用ボタン、必要な袋の枚数をデフォルト１枚とし、枚数を増加させる増加ボタン、枚数を減少させる減少ボタンを表示し、前記レシート用ボタン、前記増加ボタン、前記減少ボタンを接触により選択可能な画面を表示し、客により選択された選択情報を出力する手順と、
店員側ディスプレイが、店員に観測可能なように、商品名、価格、合計金額、袋の枚数を表示する手順と、
レジスタ補助装置が、前記レジスタ装置から商品名、価格、合計金額を入力し、前記客側ディスプレイ、および、前記店員側ディスプレイに表示させ、前記客側ディスプレイからの選択情報がレシートの印刷不要を示していれば、レシートの印刷を指示せず、選択情報が入力されないか、または、選択情報がレシートの印刷必要を示していれば、商品名、価格、合計金額を含むレシートの印刷を指示し、前記客側ディスプレイからの選択情報に含まれる必要な袋の枚数を前記店員側ディスプレイに表示させる手順と、
レシート印刷装置が、前記レジスタ補助装置からの指示にしたがい、レシートを印刷する手順と、
を含むことを特徴とするレジスタ方法。
【請求項３】
レジスタ装置に、入力された商品の商品名、価格、個数に基づいて、合計金額を算出し、商品名、価格、合計金額を出力する手順を実行させ、
客側ディスプレイに、客に観察可能なように、広告、商品名、価格、合計金額を表示し、かつ、レシートの必要性を選択するためのレシート用ボタン、必要な袋の枚数をデフォルト１枚とし、枚数を増加させる増加ボタン、枚数を減少させる減少ボタンを表示し、前記レシート用ボタン、前記増加ボタン、前記減少ボタンを接触により選択可能な画面を表示し、客により選択された選択情報を出力する手順を実行させ、
店員側ディスプレイに、店員に観測可能なように、商品名、価格、合計金額、袋の枚数を表示する手順を実行させ、
レジスタ補助装置に、前記レジスタ装置から商品名、価格、合計金額を入力し、前記客側ディスプレイ、および、前記店員側ディスプレイに表示させ、前記客側ディスプレイからの選択情報がレシートの印刷不要を示していれば、レシートの印刷を指示せず、選択情報が入力されないか、または、選択情報がレシートの印刷必要を示していれば、商品名、価格、合計金額を含むレシートの印刷を指示し、前記客側ディスプレイからの選択情報に含まれる必要な袋の枚数を前記店員側ディスプレイに表示させる手順を実行させ、
レシート印刷装置に、前記レジスタ補助装置からの指示にしたがい、レシートを印刷する手順を実行させるプログラムを記録することを特徴とする記録媒体。
【発明の詳細な説明】
【０００１】
【発明の属する技術分野】
本発明は、レジスタシステム、レジスタ方法、および、記録媒体に関し、特に、客の操作を利用するレジスタシステム、レジスタ方法、および、記録媒体に関する。
【０００２】
【従来の技術】
従来の技術としては、たとえば、「特開平８−２２１６６０号公報」記載の技術がある。この技術は、客から注文のあった商品のコードおよび数量を入力する入力手段と、各種商品のコードに対応する名称と単価とをあらかじめ記憶する記憶手段と、客に向けて配置され、一つの商品に対する名称、単価、注文数量および金額を、注文商品毎に順次同一画面に表示するとともに、注文を受けた商品の合計金額を表示する表示手段と、前記入力手段から入力された商品コードから前記記憶手段に記憶された商品の名称と単価とを検索するとともに、この検索した単価および前記入力手段から入力された数量からその商品の売上金額を算出し、前記表示手段の表示動作を行わせる制御手段と、レシート発行手段とを有し、このレシート発行手段にレシート発行を行わせるべく操作するレシート発行キーを入力手段に設け、制御手段は、表示手段に表示されたデータを記憶手段に記憶させるとともに、前記レシート発行キーの操作があったときに、前記記憶手段に記憶したデータが印字されたレシートを前記レシート発行手段から出力させる構成をもつ。
【０００３】
【発明が解決しようとする課題】
上述した従来の技術の問題点は、店員の操作が複雑なことである。
【０００４】
その理由は、レシートの印刷を実行する場合に、店員が、レシート発行キーを操作しなければならないからである。
【０００５】
本発明の目的は、客がレシートを望む場合、店員が、レシート発行キーを操作しなくてもレシートを印刷できるようにすることである。
【０００６】
【課題を解決するための手段】
【００１０】
本発明のレジスタシステムは、入力された商品の商品名、価格、個数に基づいて、合計金額を算出し、商品名、価格、合計金額を出力するレジスタ装置と、客が観察可能であり、広告、商品名、価格、合計金額を表示し、かつ、レシートの必要性を選択するためのレシート用ボタン、必要な袋の枚数をデフォルト１枚とし、枚数を増加させる増加ボタン、枚数を減少させる減少ボタンを表示し、前記レシート用ボタン、前記増加ボタン、前記減少ボタンを接触により選択可能な画面を表示し、客により選択された選択情報を出力する客側ディスプレイと、店員が観測可能であり、商品名、価格、合計金額、袋の枚数を表示する店員側ディスプレイと、前記レジスタ装置から商品名、価格、合計金額を入力し、前記客側ディスプレイ、および、前記店員側ディスプレイに表示させ、前記客側ディスプレイからの選択情報がレシートの印刷不要を示していれば、レシートの印刷を指示せず、選択情報が入力されないか、または、選択情報がレシートの印刷必要を示していれば、商品名、価格、合計金額を含むレシートの印刷を指示し、前記客側ディスプレイからの選択情報に含まれる必要な袋の枚数を前記店員側ディスプレイに表示させるレジスタ補助装置と、前記レジスタ補助装置からの指示にしたがい、レシートを印刷するレシート印刷装置とを有する。
【００１４】
本発明のレジスタ方法は、レジスタ装置が、入力された商品の商品名、価格、個数に基づいて、合計金額を算出し、商品名、価格、合計金額を出力する手順と、
客側ディスプレイが、客に観察可能なように、広告、商品名、価格、合計金額を表示し、かつ、レシートの必要性を選択するためのレシート用ボタン、必要な袋の枚数をデフォルト１枚とし、枚数を増加させる増加ボタン、枚数を減少させる減少ボタンを表示し、前記レシート用ボタン、前記増加ボタン、前記減少ボタンを接触により選択可能な画面を表示し、客により選択された選択情報を出力する手順と、
店員側ディスプレイが、店員に観測可能なように、商品名、価格、合計金額、袋の枚数を表示する手順と、
レジスタ補助装置が、前記レジスタ装置から商品名、価格、合計金額を入力し、前記客側ディスプレイ、および、前記店員側ディスプレイに表示させ、前記客側ディスプレイからの選択情報がレシートの印刷不要を示していれば、レシートの印刷を指示せず、選択情報が入力されないか、または、選択情報がレシートの印刷必要を示していれば、商品名、価格、合計金額を含むレシートの印刷を指示し、前記客側ディスプレイからの選択情報に含まれる必要な袋の枚数を前記店員側ディスプレイに表示させる手順と、
レシート印刷装置が、前記レジスタ補助装置からの指示にしたがい、レシートを印刷する手順と、
を含む。
【００１８】
本発明の記録媒体は、レジスタ装置に、入力された商品の商品名、価格、個数に基づいて、合計金額を算出し、商品名、価格、合計金額を出力する手順を実行させ、
客側ディスプレイに、客に観察可能なように、広告、商品名、価格、合計金額を表示し、かつ、レシートの必要性を選択するためのレシート用ボタン、必要な袋の枚数をデフォルト１枚とし、枚数を増加させる増加ボタン、枚数を減少させる減少ボタンを表示し、前記レシート用ボタン、前記増加ボタン、前記減少ボタンを接触により選択可能な画面を表示し、客により選択された選択情報を出力する手順を実行させ、
店員側ディスプレイに、店員に観測可能なように、商品名、価格、合計金額、袋の枚数を表示する手順を実行させ、
レジスタ補助装置に、前記レジスタ装置から商品名、価格、合計金額を入力し、前記客側ディスプレイ、および、前記店員側ディスプレイに表示させ、前記客側ディスプレイからの選択情報がレシートの印刷不要を示していれば、レシートの印刷を指示せず、選択情報が入力されないか、または、選択情報がレシートの印刷必要を示していれば、商品名、価格、合計金額を含むレシートの印刷を指示し、前記客側ディスプレイからの選択情報に含まれる必要な袋の枚数を前記店員側ディスプレイに表示させる手順を実行させ、
レシート印刷装置に、前記レジスタ補助装置からの指示にしたがい、レシートを印刷する手順を実行させるプログラムを記録する。
【００１９】
【発明の実施の形態】
次に、本発明の第１の実施の形態について図面を参照して詳細に説明する。
図１は、本発明の第１の実施の形態を示すブロック図である。
図１を参照すると、本発明の第１の実施の形態は、レジスタ装置１０と、レジスタ補助装置２０と、ディスプレイ２５、ディスプレイ２６と、レシート印刷装置３０とから構成される。
【００２０】
レジスタ装置１０は、コンビニエンスストア等の店員が使用するものであり、客が購入した商品の価格が入力され、合計金額を算出するものである。
【００２１】
レジスタ補助装置２０は、レジスタ装置１０に接続され、レジスタ装置１０からの出力、および、ディスプレイ２５からの出力にしたがって、客により選択された条件を考慮した処理を実施する。ディスプレイ２５は、レジスタ補助装置２０に接続され、客に対してたとえば、広告、売り上げ明細、選択条件等を表示し、タッチ方式で選択された選択条件をレジスタ補助装置２０に出力する。ディスプレイ２６は、レジスタ補助装置２０に接続され、店員に対して売り上げ明細、客により選択された選択条件等を表示する。レシート印刷装置３０は、レジスタ補助装置２０に接続され、レジスタ補助装置２０の指示によりレシートの印刷を行う。なお、レジスタ装置１０、レジスタ補助装置２０、レシート印刷装置３０は、物理的に１つの筐体に実装されることも可能である。
【００２２】
次に、本発明の第１の実施の形態の動作について図面を参照して説明する。
図２は、本発明の第１の実施の形態の動作を示すフローチャートである。
図３は、ディスプレイ２５に表示される画面を示す説明図である。
図２を参照すると、まず、各が、購入を決定した商品を店員に渡すと、店員は、商品の商品名、価格、個数を、順次、レジスタ装置１０に入力する（図２ステップＴ１）。この入力は、バーコードを読みとる機器を利用してもよい。レジスタ装置１０は、入力された商品名、価格、個数を価格個数情として、順次、レジスタ補助装置２０に出力される（図２ステップＴ２）。
【００２３】
レジスタ補助装置２０は、レジスタ装置１０からの価格個数情報をディスプレイ２５、および、ディスプレイ２６に出力する（図２ステップＴ３）。
【００２４】
ディスプレイ２５は、価格個数情報を入力し、順次、「売り上げ明細」欄（図３参照）に表示する（図２ステップＫ１）。図３を参照すると、＜雑誌−−−２００円＞、＜おにぎり−１５０円＞が表示されている。
【００２５】
ディスプレイ２６は、ディスプレイ２５と同様に、価格個数情報を入力し、順次、「売り上げ明細」欄（図３）に表示する（図２ステップＴ４）。
【００２６】
次に、店員が合計算出の指示をボタン等で行うと、レジスタ装置１０で金額の合計値が算出され、レジスタ補助装置２０に出力される（図２ステップＴ５）。
【００２７】
平行して、客は、ディスプレイ２５の画面（図３参照）を眺め、「レシートが必要かどうか」の選択入力を行う（図２ステップＫ２）。図３に示すように、ディスプレイ２５の画面には、「レシートは必要ですか？」、「ＹＥＳ」、および、「ＮＯ」の文字が表示される。客は、レシートを必要であると意識すれば、「ＹＥＳ」を指でタッチし、不必要であると意識すれば、「ＮＯ」を指でタッチする。この時点で、客がディスプレイ２５の表示に気づかない、あるいは、無視する場合には、「ＹＥＳ」、「ＮＯ」は、タッチされない。
【００２８】
次に、ディスプレイ２５は、タッチされた「ＹＥＳ」、または、「ＮＯ」を示す条件選択情報をレジスタ補助装置２０に出力する（図２ステップＫ３）。
【００２９】
次に、レジスタ補助装置２０は、レジスタ装置１０からの金額の合計値をディスプレイ２５、および、ディスプレイ２６に出力する（図２ステップＴ６）。
【００３０】
ディスプレイ２５は、合計値を入力し、「売り上げ明細」欄（図３参照）に表示する（図２ステップＫ４）。図３を参照すると、＜合計−−１３５０円＞が表示されている。
【００３１】
同様に、ディスプレイ２６は、合計値を入力し、「売り上げ明細」欄（図３参照）に表示する（図２ステップＴ７）。
【００３２】
次に、レジスタ補助装置２０は、ディスプレイ２５から条件選択情報が出力されていないか、または、条件選択情報が「ＹＥＳ」を示していれば（図２ステップＴ８／ＹＥＳ）、レシート印刷装置３０に価格個数情報、合計値を出力する（図２ステップＴ９）。
【００３３】
次に、レシート印刷装置３０は、レジスタ補助装置２０からの価格個数情報、合計値を入力すると、これらを含むレシートを印刷する（図２ステップＴ１０）。
【００３４】
以上により、客がレシートの受け取りを望まない場合に、レシートの印刷を抑止することができる。
【００３５】
次に、本発明の第２の実施の形態について図面を参照して詳細に説明する。
本発明の第２の実施の形態は、本発明の第１の実施の形態と同様、図１に示される構成をもつ。
【００３６】
次に、本発明の第２の実施の形態の動作について図面を参照して説明する。
図４は、本発明の第２の実施の形態の動作を示すフローチャートである。
図５は、ディスプレイ２５に表示される画面を示す説明図である。
図４を参照すると、まず、各が、購入を決定した商品を店員に渡すと、店員は、商品の商品名、価格、個数を、順次、レジスタ装置１０に入力する（図４ステップＴ１）。この入力は、バーコードを読みとる機器を利用してもよい。レジスタ装置１０は、入力された商品名、価格、個数を価格個数情として、順次、レジスタ補助装置２０に出力される（図４ステップＴ２）。
【００３７】
レジスタ補助装置２０は、レジスタ装置１０からの価格個数情報をディスプレイ２５、および、ディスプレイ２６に出力する（図４ステップＴ３）。
【００３８】
ディスプレイ２５は、価格個数情報を入力し、順次、「売り上げ明細」欄（図５参照）に表示する（図４ステップＫ１）。図５を参照すると、＜雑誌−−−２００円＞、＜おにぎり−１５０円＞が表示されている。
【００３９】
ディスプレイ２６は、ディスプレイ２５と同様に、価格個数情報を入力し、順次、「売り上げ明細」欄（図５）に表示する（図４ステップＴ４）。
【００４０】
次に、店員が合計算出の指示をボタン等で行うと、レジスタ装置１０で金額の合計値が算出され、レジスタ補助装置２０に出力される（図４ステップＴ５）。
【００４１】
平行して、客は、ディスプレイ２５の画面（図５参照）を眺め、「袋が必要かどうか」の選択入力を行う（図４ステップＫ２）。図５に示すように、ディスプレイ２５の画面には、「袋の必要枚数を入力してください」、記号「左向き矢印」、「右向き矢印」、文字「１枚（初期値）」、「決定」、「クリア」が表示される。客が「左向き矢印」、「右向き矢印」、「決定」、または、「クリア」をタッチすると、これらを示す「左向き矢印情報」、「右向き矢印情報」、「決定情報」、または、「クリア情報」がディスプレイ２５からレジスタ補助装置２０に出力される（図４ステップＫ３）。
【００４２】
この時点で、客がディスプレイ２５の表示に気づかない、あるいは、無視する場合には、タッチはなされない。
【００４３】
次に、レジスタ補助装置２０は、「左向き矢印情報」、「右向き矢印情報」、を入力すると、それぞれ、枚数を１減算、１加算した枚数値をディスプレイ２５に出力し（図４ステップＴ５−１）、ディスプレイ２５は、文字「１枚（初期値）」の部分に表示する（図４ステップＫ４−１）。また、このとき、枚数の文字の表示色を変更することも可能である。また、レジスタ補助装置２０は、「クリア情報」を入力すると、枚数値を１枚にしてディスプレイ２５に出力し（図４ステップＴ５−１）、ディスプレイ２５は、文字「１枚（初期値）」を表示する（図４ステップＫ４−１）。また、レジスタ補助装置２０は、「決定情報」を入力すると、ディスプレイ２６に、その時点でディスプレイ２５に表示されている枚数値を出力し（図４ステップＴ５−２）、ディスプレイ２６は、レジスタ補助装置２０からの枚数値を表示する（図４ステップＴ５−３）。
【００４４】
次に、レジスタ補助装置２０は、レジスタ装置１０からの金額の合計値をディスプレイ２５、および、ディスプレイ２６に出力する（図４ステップＴ６）。
【００４５】
ディスプレイ２５は、合計値を入力し、「売り上げ明細」欄（図５参照）に表示する（図４ステップＫ５）。図５を参照すると、＜合計−−１３５０円＞が表示されている。
【００４６】
同様に、ディスプレイ２６は、合計値を入力し、「売り上げ明細」欄（図５参照）に表示する（図４ステップＴ７）。
【００４７】
以上により、店員はディスプレイ２６を見ることにより、客の望む枚数の袋を効率的に渡すことができる。ここで、ディスプレイ２６に枚数値が表示されない場合には、客に口頭で質問し、枚数を知ることができる。
【００４８】
また、レジスタ補助装置２０に、客に渡した袋の枚数の累計を記憶しておくことも可能である。
【００４９】
次に、本発明の第３の実施の形態について図面を参照して詳細に説明する。
本発明の第３の実施の形態は、入力された商品の商品名、価格、個数に基づいて、合計金額を算出し、商品名、価格、合計金額を出力する第１の手順（図２、図４ステップＴ１、Ｔ５）と、客が観察可能であり、レシートの必要性、必要な袋の枚数を接触により選択可能な画面を客側ディスプレイに表示し、客により選択された選択情報を出力する第２の手順（図２、図４ステップＫ３）と、店員が観測可能であり、商品名、価格、合計金額、袋の枚数含む画面を店員側ディスプレイに表示する第３の手順（図２、図４ステップＴ４、Ｔ７、図４ステップＴ５−３）と、前記第１の手順による商品名、価格、合計金額を入力し、前記客側ディスプレイ、および、前記店員側ディスプレイに表示させ（図２、図４ステップＴ３、Ｔ６）、前記第２の手順による選択情報がレシートの印刷不要を示していれば、レシートの印刷を指示せず、選択情報が入力されないか、または、選択情報がレシートの印刷必要を示していれば、商品名、価格、合計金額を含むレシートの印刷を指示し（図２ステップＴ９）、前記第２の手順による選択情報に含まれる必要な袋の枚数を前記店員側ディスプレイに表示させる（図４ステップＴ５−２）第４の手順と、前記第４の手順による指示にしたがい、レシートを印刷する第５の手順（図２ステップＴ１０）とを含むことを特徴とするレジスタ方法。
【００５０】
次に、本発明の第４の実施の形態について図面を参照して詳細に説明する。
図６は、本発明の第４の実施の形態を示すブロック図である。
図６を参照すると、本発明の第４の実施の形態は、本発明の第３の実施の形態の各手順をコンピュータ８０（たとえば、レジスタ装置１０、レジスタ補助装置２０等）に実行させるプログラムを記録する記録媒体８２である。このプログラムは、記録媒体８２から、コンピュータ８０にロードされて実行される。
【００５１】
詳細には、本発明の第４の実施の形態は、入力された商品の商品名、価格、個数に基づいて、合計金額を算出し、商品名、価格、合計金額を出力する第１の手順（図２、図４ステップＴ１、Ｔ５）と、客が観察可能であり、レシートの必要性、必要な袋の枚数を接触により選択可能な画面を客側ディスプレイに表示し、客により選択された選択情報を出力する第２の手順（図２、図４ステップＫ３）と、店員が観測可能であり、商品名、価格、合計金額、袋の枚数含む画面を店員側ディスプレイに表示する第３の手順（図２、図４ステップＴ４、Ｔ７、図４ステップＴ５−３）と、前記第１の手順による商品名、価格、合計金額を入力し、前記客側ディスプレイ、および、前記店員側ディスプレイに表示させ（図２、図４ステップＴ３、Ｔ６）、前記第２の手順による選択情報がレシートの印刷不要を示していれば、レシートの印刷を指示せず、選択情報が入力されないか、または、選択情報がレシートの印刷必要を示していれば、商品名、価格、合計金額を含むレシートの印刷を指示し（図２ステップＴ９）、前記第２の手順による選択情報に含まれる必要な袋の枚数を前記店員側ディスプレイに表示させる（図４ステップＴ５−２）第４の手順と、前記第４の手順による指示にしたがい、レシートを印刷する第５の手順（図２ステップＴ１０）とをコンピュータ８０に実行させるプログラムを記録する記録媒体８２である。
【００５２】
【発明の効果】
第１の効果は、店員が操作が簡単になることである。
【００５３】
その理由は、客が、レシートを不必要とであると入力すると、自動的にレシートの印刷を抑止する構成をもつからである。
【００５４】
第２の効果は、袋資源を有効に利用する可能性を広げられることである。
【００５５】
その理由は、客が必要とする枚数が店員の観察できるディスプレイに表示される構成をもつからである。
【図面の簡単な説明】
【図１】本発明の第１の実施の形態を示すブロック図である。
【図２】本発明の第１の実施の形態の動作を示すフローチャートである。
【図３】ディスプレイに表示される画面を示す説明図である。
【図４】本発明の第２の実施の形態の動作を示すフローチャートである。
【図５】ディスプレイに表示される画面を示す説明図である。
【図６】本発明の第４の実施の形態を示すブロック図である。
【符号の説明】
１０    レジスタ装置
２０    レジスタ補助装置
２５    ディスプレイ
２６    ディスプレイ
３０    レシート印刷装置
８０    コンピュータ
８２    記録媒体
【図１】
0003564384.tif 000002
【図２】
0003564384.tif 000003
【図３】
0003564384.tif 000004
【図４】
0003564384.tif 000005
【図５】
0003564384.tif 000006
【図６】
0003564384.tif 000007